(57)【要約】  自動ＣＰＲユニットは、カバーディスペンサ及びカバーを含む伸長可能なカバーシステムを有し、カバーは、第１の閉じた端部及びカバーディスペンサに接続されている第２の端部を有するスリーブを有し、それによってカバーは伸長されることができる。
2016509512.tif 000002
【特許請求の範囲】
【請求項１】
少なくとも伸長可能な要素、並びに
カバーディスペンサ及びカバーを有する伸長可能なカバーシステムであって、前記カバーは第１の閉じた端部及び前記カバーディスペンサに接続されている第２の端部を有するスリーブを有し、それによって前記カバーは前記伸長可能な要素と共に伸長されることができる、伸長可能なカバーシステム、を有する、
自動ＣＰＲユニット。
【請求項２】
前記スリーブは、プラスチック又はエラストマ材料を含む、
請求項１に記載の自動ＣＰＲユニット。
【請求項３】
前記伸長可能な要素は、支持バックボードへの接続のためのクランプ要素を持つ脚部であり、前記カバーは前記脚部の周りに巻かれる、
請求項１に記載の自動ＣＰＲユニット。
【請求項４】
前記カバーディスペンサは、前記クランプ要素に隣接して配置される、
請求項３に記載の自動ＣＰＲユニット。
【請求項５】
前記伸長可能なカバーシステムは、前記伸長可能なスリーブの適切な位置において、位置決め及び／又はシールするための位置決め及びシール手段を有する、
請求項１に記載の自動ＣＰＲユニット。
【請求項６】
前記伸長可能な要素は圧迫パッドであり、前記カバーは、前記圧迫パッドの周りに巻かれ且つ前記圧迫パッドと共に伸長可能である、
請求項１に記載の自動ＣＰＲユニット。
【発明の詳細な説明】
【技術分野】
【０００１】
本発明は、心肺蘇生法、より具体的には自動化された心肺蘇生法の分野に関する。本発明は、使い捨てカバーシステムを有する心肺蘇生装置を扱う。
【背景技術】
【０００２】
心肺蘇生（ＣＰＲ）は、心停止からの生存の機会を高めるための良く知られた技術である。しかし、一貫した高品質で手動心肺蘇生術を行うことは非常に困難である。ＣＰＲ品質は、生存のための鍵であるため、より信頼できず且つ長い期間の手動の胸部圧迫と機械的に自動化された装置を置き換えさせることへの強い動きがある。自動ＣＰＲ装置（Ａ−ＣＰＲ）が最近市場に導入された。
【０００３】
Ａ−ＣＰＲシステムは典型的には、バックボード及び圧迫パッドのような機械的な心臓刺激装置、並びに、場合により呼吸補助器具又は電気的な蘇生のための電極を有する。使用中、患者は、背中を下にして、バックボードに置かれ、Ａ−ＣＰＲユニットはバックボードに取り付けられる。特許文献１は、バックボードに接続可能なＡ−ＣＰＲユニットを持つ１つのこのようなＡ−ＣＰＲシステムを開示する。バックボードは、ボード要素を有し、ボード要素は、平面を有するとともに、様々な患者の体の大きさに適する上端、下端、第１の側端及び第２の側端を有する。様々なサイズの患者に適合するために、Ａ−ＣＰＲユニットは典型的には、最大高さで固定され、圧迫パッドは、患者の胸骨の上に正しく配置するために、引っ込められることができる。
【０００４】
医療装置に関する１つの問題は、汚染の防止及び医療システムが掃除できることである。通常のルールは、少なくとも体液によって明白に汚染されているものは、衛生的にされ且つ消毒されるべきであるのに対して、明白に汚染されていないものは衛生的にされるべきであるということである。Ａ−ＣＰＲシステムでは、システムが、ごみ及び／又は体液によって汚染され得る、多くの孔、凹部、縫い目、又は部品を有するので、掃除が本当の問題になり得る。
【先行技術文献】
【特許文献】
【０００５】
【特許文献１】米国特許出願公開第２０１２／００４２８８１号
【発明の概要】
【発明が解決しようとする課題】
【０００６】
素早い方法で掃除が容易である、又は、少なくとも部分的に掃除される必要を回避できる、自動ＣＰＲシステムを有することが望ましい。
【課題を解決するための手段】
【０００７】
これらの懸念の１又は複数により良く対処するために、本発明は、少なくとも伸長可能な要素、並びにカバーディスペンサ及びカバーを有する伸長可能なカバーシステムを有し、カバーは第１の閉じた端部及びカバーディスペンサに接続されている第２の端部を有するスリーブを有し、それによってカバーは伸長可能な要素と共に伸長されることができる、自動心肺蘇生（Ａ−ＣＰＲ）ユニットを提案する。
【０００８】
１つの実施形態では、スリーブは、プラスチック又はエラストマ材料を含む。
【０００９】
さらに他の実施形態では、伸長可能な要素は、支持バックボードへの接続のためのクランプ要素を持つ脚部であり、カバーは前記脚部の周りに巻かれる。
【００１０】
好ましくは、カバーディスペンサは、クランプ要素に隣接して配置される。
【００１１】
好ましくは、伸長可能なカバーシステムは、カバーの適切な位置において、位置決め及び／又はシールするための位置決め及びシール手段を有する。
【００１２】
さらに他の実施形態では、伸長可能な要素は、圧迫パッドであり、カバーは、圧迫パッドの周りに巻かれ且つ圧迫パッドと共に伸長可能である。
【図面の簡単な説明】
【００１３】
本発明のこれらの及び他の態様は、ただ単に例として与えられる、以下に記載される実施形態から明らかになるであろうとともに、以下に記載される実施形態を参照して説明される。
【図１】本発明の第１の態様の心肺蘇生（ＣＰＲ）アセンブリを示す。
【図２Ａ】本発明の１つの態様の、使い捨てカバーを持つ図１の自動心肺蘇生アセンブリで使用されることができる概略的な脚部を示す。
【図２Ｂ】本発明の１つの態様の、使い捨てカバーを持つ図１の自動心肺蘇生アセンブリで使用されることができる概略的な脚部を示す。
【図２Ｃ】本発明の１つの態様の、使い捨てカバーを持つ図１の自動心肺蘇生アセンブリで使用されることができる概略的な脚部を示す。
【図３】本発明の１つの態様の、使い捨てカバーを持つ図１の自動心肺蘇生アセンブリで使用されることができる概略的な脚部を示す。
【発明を実施するための形態】
【００１４】
図１は、本発明の第１の態様による自動心肺蘇生（Ａ−ＣＰＲ）アセンブリを示す。
【００１５】
ＣＰＲアセンブリ１は、バックボード１０及びバックボード１０に接続可能な自動心肺蘇生ユニット２０を有する。
【００１６】
バックボード１０は、実質的に平坦な、上面１３及び底面１４を持つボード要素１２を有する。上面１３は、患者の背中のための台を提供するように適合される。上面１３は、平坦、又は患者の背中へのより近いフィットを提供するように僅かに凹状であり得る。
【００１７】
ボード要素１２は、バックボードに対する患者の頭の位置決めを支援するための及び／又は患者の心地良さのためのネックサポートを有し得る。ショルダストップが、Ａ−ＣＰＲ装置２０が動作しているとき及び／又はバックボード１０が持ち上げられる又は傾けられるとき、患者をバックボード１０に支持するためにさらに設けられ得る。
【００１８】
コネクタ１８、１９のセットが、ボード要素１２の側端１５、１６に設けられる。コネクタ１８、１９のセットは、Ａ−ＣＰＲユニット２０の接続に適している。コネクタ１８、１９の形態は、Ａ−ＣＰＲユニット２０のコネクタと協働するように適合される。コネクタの例は図２Ａ−２Ｃに示される。
【００１９】
Ａ−ＣＰＲユニット２０は、メインボディ３０の側端３５、３６に接続要素３８、３９のセットを持つメインボディ３０を有する。圧迫パッド２５は、バックボードに横たわっている患者に圧迫力を加えるように適合される。
【００２０】
接続要素３８、３９は、バックボード１０のコネクタ１８、１９のセットと協働するように適合されるクランプ４３、４４を持つ脚部４１、４２のセットを有する。例えば、コネクタ１８、１９のセットは、その上でクランプ４３、４４がロックされることができ、それによって、Ａ−ＣＰＲユニット２０をバックボード１０に固定する、レールであり得る。ユーザは、ある時点で第１のクランプ４３、４４をロックし、そして第２のクランプ４４、４３をロックするためにＡ−ＣＰＲユニット２０を上から揺動させることを、又は両方のクランプ４３、４４を同時にロックすることを選択することができる。クランプ４３、４４は、十分な力がそれに加えられる場合に、脚部を自動的にバックボードに固定するように構成されることができる。
【００２１】
図２Ａ−２Ｃに見ることができるように、クランプ４３を持つ脚部４１は、汚染からＡ−ＣＰＲユニット２０を保護することを目的とするカバー５０によってカバーされる。カバー５０は好ましくは、使い捨てカバーであり、プラスチック又は任意の他の適切な材料で作られる。
【００２２】
カバー５０は、第１の端部５３で閉じられ且つ他の端部５４でカバーディスペンサ５５に取り付けられる伸長可能なスリーブ５２を有する。スリーブ５２は、保護されることになるユニット、ここでは脚部４１、の周りに配置されるとともに同ユニットの周りに巻かれる。カバーディスペンサ５５は、Ａ−ＣＰＲユニット２０のメインボディ３０に取り付けられることができる。したがって、図２Ａに示されるように、クランプ４３を持つ脚部の自由端５３は、引っ込められるとき、例えば、Ａ−ＣＰＲシステムがキャリーケースに保管されるとき、完全にカバーされる。
【００２３】
脚部の長さが変化するとき、特に脚部が図２Ｂに示されるように伸長されるとき、カバー材料はカバーコンテナ５５から引き出される。カバー５０は、クランプ側に何の開口もない、保護スリーブとして働いている。脚部及びクランプはその後、環境又はバックボードに起因する汚染から保護される。
【００２４】
Ａ−ＣＰＲユニット２０がバックボード１０に接続されるとき、カバーとともに脚部は、図２Ｃに示されるように、バックボード１０のコネクタ１８に押し付けられる。結果として、カバー５０は、クランプ４３とコネクタ１８の間に入れられ、それによって、バックボードからのさらなる汚染を防ぐ。
【００２５】
カバーディスペンサ５５を持つカバー５０は、Ａ−ＣＰＲシステムと独立して、カバーコンテナに設けられ得る。カバー５０は、好ましくはＡ−ＣＰＲユニット２０の使用の直前に、脚部の周りに、Ａ−ＣＰＲユニットに設置されることができる。使用後、カバーは、取り外され且つ使用後に捨てられることができる。カバーは、１回だけ使用されることが意図される。
【００２６】
当業者は、使い捨て脚部カバーが、Ａ−ＣＰＲユニット及びバックボードをできる限り清潔に保つことを可能にすることを容易に理解するであろう。脚部カバーは、体液及びゴミが伸縮する／伸長可能な脚部システムの見えない／手の届かない部品の中に入ることをできる限り防ぐ。
【００２７】
これらの脚部カバーを使用することの他の利点は、装置が患者から物理的に保護されることであり、これはしばしば手術室で必要とされる。カバーが装置から取り外され、単に捨てられるので、蘇生手順の最後におけるＡ−ＣＰＲユニットの掃除は、さらに容易にされる。
【００２８】
伸長可能なスリーブ５２は、図３に示されるように、位置決め及びシール手段６０を備え得る。位置決め及びシール手段６０は、端部５４に弾性要素を有し、弾性要素は伸長可能なスリーブ５２をＡ−ＣＰＲ装置のメインボディ３０に適切な位置で取り付けるように適合される。弾性要素は、有利には、水密シールを提供する。位置決め及びシール手段６０はさらに、閉じた端部５３に第２の弾性要素を有し、この弾性要素は、伸長可能なスリーブ５２を脚部４１に及び／又は脚部４１の周りに適切な位置で取り付けるように適合される。
【００２９】
カバーディスペンサ５５はまた、伸長可能な脚部の周りにスリーブ５２を位置決めすることを助ける位置決め手段を備え得る。
【００３０】
本発明は、脚部のためのカバーについて記載されている。もちろん、取外し可能な伸長可能なカバーシステムはまた、Ａ−ＣＰＲ装置の他の部品を保護するために使用されることができる。特に、伸長可能なカバーは、カバーディスペンサとともに、スリーブの閉じた端部が圧迫パッドをカバーし且つスリーブの他端がメインボディユニット上にある状態で、圧迫パッドの周りに巻かれることができる。
【図１】
2016509512.tif 000003
【図２Ａ】
2016509512.tif 000004
【図２Ｂ】
2016509512.tif 000005
【図２Ｃ】
2016509512.tif 000006
【図３】
2016509512.tif 000007
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
自動ＣＰＲユニットであって、
メインボディ、
少なくとも伸長可能な要素、並びに
前記自動ＣＰＲユニットの前記メインボディに取り付けられるカバーディスペンサ及び前記自動ＣＰＲユニットを汚染から保護することを意図するカバーを有する伸長可能なカバーシステムであって、前記カバーは第１の閉じた端部及び前記カバーディスペンサに接続されている第２の端部を有する伸長可能なスリーブを有する、伸長可能なカバーシステム、を有し、
前記伸長可能な要素は、支持バックボードへの接続のためのクランプ要素を持つ脚部であり、前記カバーは前記脚部の周りに巻かれる、
自動ＣＰＲユニット。
【請求項２】
前記スリーブは、プラスチック又はエラストマ材料を含む、
請求項１に記載の自動ＣＰＲユニット。
【請求項３】
前記カバーディスペンサは、前記クランプ要素に隣接して配置される、
請求項１に記載の自動ＣＰＲユニット。
【請求項４】
前記伸長可能なカバーシステムは、前記伸長可能なスリーブの適切な位置において、位置決め及び／又はシールするための位置決め及びシール手段を有する、
請求項１に記載の自動ＣＰＲユニット。
【請求項５】
前記伸長可能な要素は圧迫パッドであり、前記カバーは、前記圧迫パッドの周りに巻かれ且つ前記圧迫パッドと共に伸長可能である、
請求項１に記載の自動ＣＰＲユニット。
【国際調査報告】
2016509512.tif 000008
2016509512.tif 000009